(57)【要約】【課題】特別な建築造作を伴うことなく、間接照明であるかのような空間演出を行うことができる薄型の照明器具を提供する。【解決手段】造営材の開口孔に埋め込み配設される照明器具１であって、器具本体１００と、器具本体１００に配置された発光モジュール２００と、発光モジュール２００から出射した光が入射する導光パネル４００と、導光パネル４００から出射した光が入射する拡散パネル５００とを備え、発光モジュール２００を発光させた場合、拡散パネル５００の中央部の発光輝度は、拡散パネル５００の周辺部の発光輝度よりも低い。【選択図】図５
2018190515.tif 000002
【特許請求の範囲】
【請求項１】
造営材の開口孔に埋め込み配設される照明器具であって、
器具本体と、
前記器具本体に配置された光源と、
前記光源から出射した光が入射する導光パネルと、
前記導光パネルから出射した光が入射する拡散パネルとを備え、
前記光源を発光させた場合、前記拡散パネルの中央部の発光輝度は、前記拡散パネルの周辺部の発光輝度よりも低い、
照明器具。
【請求項２】
前記導光パネルは、前記光源の光が入射する側面と、前記側面から入射した光が前記導光パネルから出射する主面とを有し、
前記導光パネルは、前記主面が前記拡散パネルに対面するように配置されている、
請求項１に記載の照明器具。
【請求項３】
さらに、前記光源から出射した光を前記導光パネルの前記側面に向けて反射させるミラーを備える、
請求項２に記載の照明器具。
【請求項４】
前記導光パネルは、環状に配置されている、
請求項１〜３のいずれか１項に記載の照明器具。
【請求項５】
前記光源は、前記導光パネルの配置に沿って環状に配置されている、
請求項１〜４のいずれか１項に記載の照明器具。
【請求項６】
前記光源は、前記器具本体の周辺部に寄せて配置されている、
請求項１〜５のいずれか１項に記載の照明器具。
【請求項７】
前記器具本体は、開口部を有し、
前記拡散パネルの発光面は、前記開口部の開口面よりも前記光源側に後退した位置に配置されている、
請求項１〜６のいずれか１項に記載の照明器具。
【請求項８】
前記拡散パネルの発光面は、前記天井の天井面よりも天井裏側に位置している、
請求項７に記載の照明器具。
【請求項９】
前記拡散パネルの光出射側に位置し、前記開口部の内周に沿って設けられた枠部を有し、
前記枠部の内面は、前記拡散パネルの側面よりも内側に位置する、
請求項７又は８に記載の照明器具。
【請求項１０】
前記枠部は、前記器具本体の一部である、
請求項９に記載の照明器具。
【請求項１１】
前記拡散パネルは、平板状である、
請求項１〜１０のいずれか１項に記載の照明器具。
【発明の詳細な説明】
【技術分野】
【０００１】
本発明は、照明器具に関する。
【背景技術】
【０００２】
従来、間接光によって空間演出を行うことができる間接照明が知られている。間接照明は、例えば、蛍光ランプ等の光源を人の目に見えない箇所に設置して、壁面又は天井面に向けて光を照射して反射させることで得られた間接光を照明光として利用するものである（例えば特許文献１参照）。
【先行技術文献】
【特許文献】
【０００３】
【特許文献１】特開平５−８１９１３号公報
【発明の概要】
【発明が解決しようとする課題】
【０００４】
しかしながら、従来の間接照明は、蛍光ランプ等の光源を人の目に見えない箇所に設置するために、天井等の建築構造物を加工する必要である。つまり、間接照明用の特別な建築造作を伴うという課題がある。
【０００５】
そこで、特別な建築造作を行わずに、天井に埋め込み配設できる照明器具を用いて間接照明と同様の空間演出効果を得ることが検討されている。
【０００６】
この場合、照明器具内に、間接照明と同じ構造を設けることが考えられるが、このような構造を採用すると、照明器具の内部構造が複雑になるばかりか、外観構造も複雑になってしまい、外観がすっきりしなくなくなる。このため、間接照明とは感じられずに、照明器具であることがばれてしまうという課題がある。
【０００７】
また、従来の間接照明は、湾曲面等の反射面を必要とするため、照明器具内に間接照明と同じ構造を設ける場合には照明器具内に反射面に設ける必要がある。このため、照明器具が大型化して器具高さが高くなるという課題もある。
【０００８】
本発明は、このような課題を解決するためになされたものであり、特別な建築造作を伴うことなく、間接照明であるかのような空間演出を行うことができる薄型の照明器具を提供することを目的とする。
【課題を解決するための手段】
【０００９】
上記目的を達成するために、本発明に係る照明器具の一態様は、造営材の開口孔に埋め込み配設される照明器具であって、器具本体と、前記器具本体に配置された光源と、前記光源から出射した光が入射する導光パネルと、前記導光パネルから出射した光が入射する拡散パネルとを備え、前記光源を発光させた場合、前記拡散パネルの中央部の発光輝度は、前記拡散パネルの周辺部の発光輝度よりも低い。
【発明の効果】
【００１０】
特別な建築造作を伴うことなく、間接照明であるかのような空間演出を行うことができる照明器具を実現できる。
【図面の簡単な説明】
【００１１】
【図１】実施の形態に係る照明器具の斜視図である。
【図２】拡散パネルを外した状態における実施の形態に係る照明器具の斜視図である。
【図３】実施の形態に係る照明器具の断面図である。
【図４】実施の形態に係る照明器具の拡大断面図である。
【図５】実施の形態に係る照明器具の拡散パネルの発光面における輝度分布を示す図である。
【図６】実施の形態に係る照明器具を天井に設置した場合の明かりの雰囲気を示す図である。
【図７】変形例に係る照明器具の拡大断面図である。
【発明を実施するための形態】
【００１２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
各図は、模式図であり、必ずしも厳密に図示されたものではない。各図において、実質的に同一の構成に対しては同一の符号を付しており、重複する説明は省略又は簡略化される場合がある。
【００１４】
（実施の形態）
実施の形態に係る照明器具１について、図１〜図４を用いて説明する。図１は、実施の形態に係る照明器具１の斜視図である。図２は、拡散パネル５００を外した状態における同照明器具１の斜視図である。図３は、同照明器具１の断面図である。図４は、同照明器具１の拡大断面図であり、図３の破線で囲まれる領域ＩＶの拡大図を示している。
【００１５】
照明器具１は、建築材に組み込まれた照明器具である。具体的には、照明器具１は、建物の天井等の造営材の開口孔に埋め込み配設される。図４に示すように、本実施の形態において、照明器具１は、天井２の開口孔２ａに埋め込み配設される天井埋込型照明器具の一種である。
【００１６】
このような照明器具１は、例えば、ホテルのロビー又は病院の待合室等の天井に設置されるが、一般住宅又は店舗等の建物の天井に設置されていてもよい。なお、照明器具１は、天井２に限らず、壁等の天井以外の造営材に設置されてもよい。
【００１７】
図１〜図４に示すように、照明器具１は、導光式の天井埋込型照明器具であって、器具本体１００と、器具本体１００に配置された発光モジュール２００と、発光モジュール２００から出射した光が入射する導光パネル４００と、導光パネル４００から出射した光が入射する拡散パネル５００とを備える。さらに、照明器具１は、発光モジュール２００から出射した光を導光パネル４００に入射させるミラー３００と、反射板６００と備える。以下、照明器具１の各構成部材について、図１〜図４を参照しながら説明する。
【００１８】
［器具本体］
図３及び図４に示すように、器具本体１００は、発光モジュール２００、ミラー３００、導光パネル４００、拡散パネル５００及び反射板６００を収容する筐体である。具体的には、器具本体１００は、開口部１００ａ及び底部１００ｂを有する扁平状かつ有底筒状の筐体である。発光モジュール２００、ミラー３００、導光パネル４００、拡散パネル５００及び反射板６００は、器具本体１００に保持されている。
【００１９】
器具本体１００は、光を遮光する遮光性材料又は光を透過しない非透光性材料によって構成されている。例えば、器具本体１００は、アルミニウムや鉄等の金属材料又は硬質の樹脂材料によって構成されている。
【００２０】
なお、器具本体１００の側壁部の内面は、光反射面であるとよい。この場合、器具本体１００の表面を金属表面にすることで光反射性を持たせることもできるが、器具本体１００の側壁部の内面に白色塗料を塗膜する等して光反射膜を形成することで、器具本体１００の側壁部の内面の光反射性をさらに高くすることもできる。このように、器具本体１００の側壁部の内面を光反射面にすることによって拡散パネル５００の周辺部に入射する光束を高くできるので、拡散パネル５００の周辺部での発光輝度を容易に高くすることができる。
【００２１】
器具本体１００は、光源支持部１１０と、枠部１２０と、フランジ部１３０と、底部１４０とを有する。光源支持部１１０、枠部１２０、フランジ部１３０及び底部１４０は、器具本体１００の一部であり、本実施の形態では、器具本体１００として一体に構成されている。
【００２２】
光源支持部１１０は、器具本体１００において発光モジュール２００を支持する部分である。本実施の形態において、光源支持部１１０は、器具本体１００の胴体部をなす側壁部である。具体的には、光源支持部１１０は、肉厚が一定で枠状に形成されている。光源支持部１１０における発光モジュール２００が載置される光源載置面は、拡散パネル５００側とは反対側の面である。つまり、光源支持部１１０の光源載置面は、底部１４０の底面に対面している。
【００２３】
枠部１２０は、拡散パネル５００の光出射側に位置し、器具本体１００の開口部１００ａの内周に沿って設けられている。したがって、枠部１２０は、外部に露出する部分であって、ユーザが視認することができる。具体的には、枠部１２０は、器具本体１００のうち拡散パネル５００よりも下方側（つまり床側）の部分である。
【００２４】
また、枠部１２０の一部は、拡散パネル５００の端縁全周を覆っている。つまり、枠部１２０の内面の少なくとも一部は、拡散パネル５００の側面よりも内側に位置している。このように、枠部１２０が拡散パネル５００の端縁全周を覆っているので、枠部１２０の内面の拡散パネル５００側の端縁は、拡散パネル５００の光出射領域を規定することになる。本実施の形態において、枠部１２０の内面の拡散パネル５００側の端縁によって構成される枠部１２０の開口径φ１は、例えば約８００ｍｍである。この場合、器具本体１００の直径φ２は、例えば、約９００ｍｍである。
【００２５】
枠部１２０は、天井２の開口孔２ａに対応する位置に配置されている。つまり、枠部１２０は、開口孔２ａの内側に位置している。したがって、枠部１２０の内面は、天井２の天井面２ｂからの立ち上がり部分として機能する。つまり、枠部１２０の内面を、天井面２ｂから連続する部分として機能させることができる。これにより、ユーザが天井２を見上げて照明器具１を見たときに、枠部１２０を、天井２を建築造作したかのような建築構造体の一部として認識させることができる。
【００２６】
フランジ部１３０は、器具本体１００の開口部１００ａの開口端縁に設けられている。フランジ部１３０は、外方に突出するように鍔状に設けられている。本実施の形態において、フランジ部１３０は、薄板状かつリング状に形成されている。フランジ部１３０は、枠部１２０の先端部から連続して形成されている。
【００２７】
図４に示すように、フランジ部１３０は、天井２の天井面２ｂに配置される。具体的には、フランジ部１３０は、天井２の開口孔２ａの天井面２ｂ側の端縁に係止される。器具本体１００を天井２の開口孔２ａに嵌め込む際に、フランジ部１３０が天井面２ｂに係止される。
【００２８】
底部１４０の底面と反射板６００との間の空間領域には、図示しないが、発光モジュール２００を発光させるための電力を生成する電源装置（電源回路）が配置されていてもよい。電源装置は、例えば、端子台を通じて商用電源からの交流電力を受電し、受電した交流電力を直流電力に変換する。電源装置で生成された直流電力は、リード線等を介して発光モジュール２００に供給される。これにより、発光モジュール２００が発光する。
【００２９】
なお、電源装置は、照明器具１に内蔵されていてもよいし、照明器具１に内蔵されておらず、照明器具１の外部に別途配置されていてもよい。
【００３０】
このように構成される器具本体１００の色は、白色、黒色及び有色のいずれでもよいが、少なくとも外部に露出する枠部１２０及びフランジ部１３０は、天井２に馴染むように天井面２ｂと同一系統の色であるとよい。例えば、天井面２ｂが白色系である場合、枠部１２０及びフランジ部１３０を含めて器具本体１００の全体の色を白色系にするとよい。これにより、枠部１２０を天井２の一部として認識させやすくでき、枠部１２０を天井２と同化させて枠部１２０の内周面を天井２と一体的に感じさせることができる。
【００３１】
また、フランジ部１３０を目立たなくするためには、フランジ部１３０の幅Ｗは、できるだけ狭い方がよい。フランジ部１３０の幅Ｗは、例えば、１５ｍｍ程度である。
【００３２】
また、器具本体１００は、天井２の開口孔２ａに嵌め込まれることで天井２に固定される。本実施の形態において、器具本体１００は、照明器具１の外郭を構成する外郭部材である。したがって、器具本体１００の外面は、天井２の天井裏に露出している。本実施の形態において、器具本体１００の高さは、照明器具１の器具高さとなっている。具体的には、器具本体１００の天井面２ｂから器具本体１００の底部１４０の外面までの長さＤ２は、１００ｍｍ以下であり、例えば、８０ｍｍである。
【００３３】
［発光モジュール］
発光モジュール２００は、照明器具１の光源であり、例えば白色光を発する。本実施の形態において、発光モジュール２００は、ＬＥＤによって構成されたＬＥＤモジュールである。なお、発光モジュール２００の発光色は、白色光に限るものではない。
【００３４】
図３及び図４に示すように、発光モジュール２００は、器具本体１００に配置される。具体的には、発光モジュール２００は、器具本体１００の環状の光源支持部１１０に配置されている。したがって、発光モジュール２００は、環状に配置されている。具体的には、発光モジュール２００は、器具本体１００の中心を中心として円環状に配置されている。また、発光モジュール２００は、導光パネル４００の配置に沿って配置されている。
【００３５】
本実施の形態において、発光モジュール２００は、図２に示される導光パネル４００の数と同数（本実施の形態では８つ）用いられている。各発光モジュール２００は円弧状であり、複数の発光モジュール２００を周方向に配置することで、全体として円環状になっている。なお、発光モジュール２００は、複数に限らず、１つであってもよい。
【００３６】
図３及び図４に示すように、発光モジュール２００は、基板２１０と、基板２１０に配置された発光素子２２０とを有する。
【００３７】
基板２１０は、器具本体１００の光源支持部１１０に載置される。基板２１０の主面が拡散パネル５００の主面に対して直交していると、基板２１０の幅の分だけ器具本体１００の高さが高くなってしまうが、本実施の形態では、基板２１０の主面が拡散パネル５００の主面に対して略平行であるので、基板２１０の幅によって器具本体１００の器具高さが高くなることを抑制できる。これにより、より薄型の照明器具１を実現できる。
【００３８】
基板２１０は、例えば、樹脂基板、セラミック基板、又は、メタルベース基板等である。基板２１０は、リジッド基板に限るものではなく、フレキシブル基板又はフィルム基板であってもよい。なお、本実施の形態において、基板２１０は複数であり、各基板２１０は同一幅の円弧状に形成されている。
【００３９】
基板２１０には、複数の発光素子２２０が配置されている。複数の発光素子２２０は、基板２１０の長手方向に沿って線状に一列に配置されている。本実施の形態において、複数の発光素子２２０は、円弧状に一列で配列されている。
【００４０】
発光素子２２０は、ＬＥＤによって構成されたＬＥＤ光源である。具体的には、発光素子２２０は、ＬＥＤチップがパッケージ化されたＳＭＤ型ＬＥＤ素子であり、凹部を有する樹脂製又はセラミック製の白色の容器と、容器の凹部の底面に一次実装された１つ以上のＬＥＤチップと、容器の凹部内に封入された封止部材とを有する。封止部材は、例えばシリコーン樹脂等の透光性樹脂材料で構成されている。封止部材は、蛍光体等の波長変換材が含有された蛍光体含有樹脂であってもよい。
【００４１】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００４２】
このように、本実施の形態における発光素子２２０は、青色ＬＥＤチップと黄色蛍光体とによって構成された白色ＬＥＤ光源である。具体的には、黄色蛍光体は青色ＬＥＤチップが発した青色光の一部を吸収して励起されて黄色光を放出し、この黄色光と黄色蛍光体に吸収されなかった青色光とが混ざって白色光となる。なお、封止部材には、黄色蛍光体だけに限らず、赤色蛍光体及び緑色蛍光体が含まれていてもよい。
【００４３】
このように構成される発光モジュール２００は、器具本体１００の周辺部に寄せて配置されている。本実施の形態において、発光モジュール２００は、器具本体１００の側壁部に隣接して配置されている。
【００４４】
発光モジュール２００は、導光パネル４００の側面（端面）に光を入射させるように配置されている。つまり、発光モジュール２００と導光パネル４００とはエッジライト構造となっている。
【００４５】
具体的には、発光モジュール２００は、導光パネル４００の第１側面４１０付近に配置されており、発光モジュール２００から出射した光（つまり、発光素子２２０から出射した光）は、導光パネル４００の第１側面４１０に入射する。本実施の形態において、発光モジュール２００は、発光モジュール２００から出射した光を導光パネル４００の第１側面４１０に向けて反射させるミラー３００で覆われている。これにより、発光モジュール２００から出射した光は、ミラー３００で反射して導光パネル４００の第１側面４１０に入射する。ミラー３００は、例えば白色樹脂材料によって構成することができる。
【００４６】
［導光パネル］
図２〜図４に示される導光パネル４００は、発光モジュール２００からの光を導光させる光学部材である。導光パネル４００は、透光性を有する部材であり、例えば、アクリルやポリカーボネート等の透光性樹脂材料又はガラス材料からなる。本実施の形態における導光パネル４００は、向こうが透けて見える程度に透過率が高い透明樹脂材料を用いて形成されている。
【００４７】
導光パネル４００は、平板状の導光板であり、図４に示すように、発光モジュール２００から出射する光が入射する光入射面である第１側面４１０（第１端面）と、第１主面４２０と、第１主面４２０とは反対側の第２主面４３０と、第１側面４１０に対向する第２側面４４０（第２端面）とを有する。
【００４８】
導光パネル４００の第１主面４２０は、導光パネル４００の第１側面４１０から入射した光が導光パネル４００から出射する光出射面である。つまり、第１主面４２０は、導光パネル４００から光を取り出すための光取り出し面である。導光パネル４００は、第１主面４２０が拡散パネル５００に対面するように配置されている。これにより、導光パネル４００の第１主面４２０から出射した光は、拡散パネル５００に向かって進行し、拡散パネル５００に直接入射する。
【００４９】
第１主面４２０から効果的に光を取り出すために、第１主面４２０及び第２主面４３０の少なくとも一方には、光取り出し構造が設けられているとよい。光取り出し構造は、例えば、第２主面４３０に形成された複数のマイクロプリズムである。第２主面４３０に形成されたマイクロプリズムは、例えば円錐状又は角錐状等の凹プリズムであり、第１側面４１０から導光パネル４００内に入射した光を導光パネル４００の外に取り出すために、導光パネル４００内を進行する光を第１主面４２０側に向けて反射させる機能を有する。また、第２主面４３０に形成するマイクロプリズムの形状を領域に応じて変更することで、第１主面４２０から出射する光の配光を制御することができる。
【００５０】
なお、光取り出し構造は、凹形状に限らず、凸形状（凸プリズム）であってもよい。また、第２主面４３０ではなく光出射面である第１主面４２０に微小凹凸構造を形成することでも、導光パネル４００内を進行する光を第１主面４２０から取り出すこともできる。また、第１主面４２０だけではなく第１主面４２０とは反対側の第２主面４３０からも光を取り出してもよいが、取り出す光の量は第２主面４３０よりも第１主面４２０の方を大きくするとよい。
【００５１】
導光パネル４００は、環状に配置されている。具体的には、導光パネル４００は、全体として開口を有する環状体であり、器具本体１００の中心を中心として円環状である。
【００５２】
本実施の形態において、導光パネル４００は、発光モジュール２００の数と同数（本実施の形態では８つ）用いられている。図２に示すように、各導光パネル４００は幅が一定の円弧形状であり、複数の導光パネル４００を周方向に配置することで、全体として円環状になっている。なお、導光パネル４００は、複数に分割することなく、１つであってもよい。
【００５３】
［拡散パネル］
図１及び図３に示される拡散パネル５００は、透光性及び光拡散性を有する光学部材である。拡散パネル５００は、例えば、アクリルやポリカーボネート等の透光性樹脂材料又はガラス材料等をベースにして形成される。一例として、拡散パネル５００は、光拡散材（光散乱材）が樹脂材料内部に分散された乳白色の拡散板である。このような拡散パネル５００は、例えば、光拡散材を混合した透光性樹脂材料を所定形状に樹脂成型することによって作製することができる。
【００５４】
具体的には、拡散パネル５００は、全光線透過率が４０％〜７０％のものを用いることができる。本実施の形態では、拡散パネル５００として、全光線透過率が６０％のものを用いた。
【００５５】
なお、拡散パネル５００は、内部に光拡散材を分散させるのではなく、透明パネルの表面（内面又は外面）に光拡散材等を含む乳白色の光拡散膜を形成することによって構成されていてもよい。また、拡散パネル５００は、光拡散材を用いるのではなく、拡散加工を施すことによって拡散性を有するように構成されていてもよい。例えば、シボ加工又はレーザ加工等の表面処理を施すことによって透明パネルの表面に微小凹凸（シボ、マイクロプリズム等）を形成したり、透明パネルの表面にドットパターンを印刷したりすることによって、光拡散性を有するように構成してもよい。
【００５６】
本実施の形態において、拡散パネル５００は、平板状のフラットパネルである。具体的には、拡散パネル５００は、板厚が一定の円板である。拡散パネル５００の厚みは、例えば、２ｍｍ〜５ｍｍである。本実施の形態では、拡散パネル５００として、厚みが２ｍｍで、直径が８６０ｍｍの円板状の乳白のアクリル板を用いた。なお、拡散パネル５００は、平板状に限らず、発光モジュール２００側に膨出する（つまり奥側に凹んだ）ドーム状であってもよい。
【００５７】
このように拡散パネル５００を用いることで、拡散パネル５００に入射した光は、拡散パネル５００によって拡散されながら拡散パネル５００内を透過して拡散パネル５００から出射する。つまり、拡散パネル５００は、導光パネル４００からの光を拡散させて疑似発光する面発光部として機能する。
【００５８】
図３及び図４に示すように、拡散パネル５００は、導光パネル４００を覆うように配置されている。本実施の形態において、拡散パネル５００は、拡散カバーであり、器具本体１００を塞ぐように器具本体１００に固定されている。この場合、拡散パネル５００の中心を器具本体１００の中心と一致させて、拡散パネル５００を器具本体１００に保持させている。
【００５９】
光出射面である拡散パネル５００の発光面は、器具本体１００の開口部１００ａの開口面よりも発光モジュール２００側に後退した位置に配置されている。本実施の形態において、拡散パネル５００の発光面は、天井２の天井面２ｂよりも天井裏側に位置している。器具本体１００の開口部１００ａの開口面から拡散パネル５００の光出射面までの距離Ｄ１（つまり、拡散パネル５００の開口部１００ａの開口面からの後退量）は、例えば、３０ｍｍ〜５０ｍｍである。つまり、器具本体１００の枠部１２０の高さも３０ｍｍ〜５０ｍｍとなる。距離Ｄ１を３０ｍｍ〜５０ｍｍにすることで、枠部１２０の内面が、間接照明用途で天井２を加工した際の建築構造体（例えば天井）の立ち上がり部分として感じやすくなる。
【００６０】
［反射板］
反射板６００は、導光パネル４００の第２主面側に配置されている。具体的には、反射板６００は、導光パネル４００を覆うとともに、拡散パネル５００を覆っている。これにより、導光パネル４００から出射した光のうち拡散パネル５００を透過せずに戻ってくる光を反射板６００で反射させて、拡散パネル５００に再入射させることができる。この結果、光の取り出し効率を向上させることができるとともに、光の多重反射によって拡散パネル５００における発光輝度の輝度分布を滑らかにすることができる。
【００６１】
反射板６００は、例えば、薄板状の円板であり、アルミニウム板や鋼板等の金属平板又は硬質の樹脂材料からなる樹脂平板によって構成されている。なお、反射板６００の光反射性を高めるために、反射板６００の表面には、白色塗料が塗膜されていてもよいし、高い光反射性を有する金属材料が蒸着されていてもよい。また、反射板６００として、白色樹脂シートを用いてもよい。
【００６２】
［作用効果］
次に、実施の形態に係る照明器具１の作用効果について、図５及び図６を用いて説明する。図５は、実施の形態に係る照明器具１の拡散パネル５００の発光面における輝度分布を示す図である。図６は、同照明器具１を天井２に設置した場合の明かりの雰囲気を示す図である。
【００６３】
照明器具１では、発光モジュール２００を発光させた場合に、拡散パネル５００の発光輝度は、図５に示すような分布を示す。つまり、拡散パネル５００の中央部の発光輝度が拡散パネル５００の周辺部の発光輝度よりも低くなっている。
【００６４】
例えば、図５に示すように、拡散パネル５００の中心を基準（図５の位置が０の箇所）に拡散パネル５００の直径の１／２未満の領域を拡散パネル５００の中央部（内周部）とし、拡散パネル５００の中心を基準に拡散パネル５００の直径の１／２以上の領域を拡散パネル５００の周辺部（外周部）とすると、拡散パネル５００の発光輝度は、周辺部よりも中央部の方が低くなっている。これにより、図６に示すように、器具本体１００の枠部１２０の周辺部分を明るく感じさせることができ、従来の間接照明のような空間演出を行うことができる。
【００６５】
また、本実施の形態では、図５に示すように、拡散パネル５００の発光輝度は、拡散パネル５００の外周端部をピークにして、拡散パネル５００の中心に向かうにつれてグラデーション状に低下している。具体的には、拡散パネル５００の周辺部では、発光輝度が拡散パネル５００の中心に近づくほど低くなっている。さらに、拡散パネル５００の周辺部内においても、拡散パネル５００の中心に近づくにつれて、拡散パネル５００の周辺部中央あたりから急激に発光輝度が低くなっている。一方、発光輝度が低い拡散パネル５００の中央部においては、発光輝度はほぼ変化していない。
【００６６】
拡散パネル５００の発光面の発光輝度を図５に示すような輝度分布にすることで、従来の間接照明のような柔らかい間接光による照明演出効果を得ることができる。特に、本実施の形態では、導光パネル４００を用いて、図５に示すような輝度分布を実現している。このように導光パネル４００を用いることで、導光パネル４００によって拡散パネル５００に入射させる光の配光を制御することができる。これにより、拡散パネル５００の発光面の発光輝度のグラデーションを容易に実現することができる。
【００６７】
なお、本実施の形態では、拡散パネル５００の外縁から中心にかけて発光輝度のグラデーションが連続的かつ自然となるように、導光パネル４００の配光を調節している。これにより、より自然な間接照明の明かりの雰囲気を実現することができる。導光パネル４００の配光は、例えば、導光パネル４００に形成する光取り出し構造を調整することで制御することができる。
【００６８】
このように、拡散パネル５００の発光輝度を図５に示すように中央部よりも周辺部を高くして中央部の発光輝度を周辺部の発光輝度よりも低くすることで、図６に示すように、拡散パネル５００を備える照明器具１でありながらも、照明器具１であることに気付かれることなく（つまり、拡散パネル５００の存在を感じさせることなく）、従来の間接照明のような空間演出を疑似的に行うことができる。
【００６９】
以上説明したように、本実施の形態における照明器具１は、天井２の開口孔２ａに埋め込み配設されるものであり、器具本体１００と、器具本体１００に配置された発光モジュール２００と、発光モジュール２００から出射した光が入射する導光パネル４００と、導光パネル４００から出射した光が入射する拡散パネル５００とを備えている。そして、発光モジュール２００の発光時において、拡散パネル５００の中央部の発光輝度が拡散パネル５００の周辺部の発光輝度よりも低くなっている。
【００７０】
これにより、特別な建築造作を伴うことなく、間接照明であるかのような空間演出を行うことができる薄型の照明器具を実現できる。
【００７１】
つまり、従来の間接照明では、天井等の建築構造物を加工する等の特別な建築造作が必要であり、しかも、天井裏には天井面から３００ｍｍ〜５００ｍｍ程度の空間領域を確保しなければならなかった。
【００７２】
これに対して、本実施の形態における照明器具１では、一般的な照明器具と同様に、電気工事のみで簡単に天井２の開口孔２ａに取り付けることができるので、天井２を加工する等の特別な建築造作が不要であり、省施工かつ安価に間接照明のような空間演出を行うことができる。しかも、拡散パネル５００の輝度分布のみで間接光のような照明光を実現できるので、照明器具１の内部構造が複雑化せず、薄型の照明器具１を実現できる。特に、本実施の形態では、導光パネル４００を用いているので、拡散パネル５００が大面積であっても導光パネル４００により広い領域に光を配光させることができ、極めて薄型の照明器具１を容易に実現できる。このため、照明器具１の天井裏の設置スペースとしては、天井面２ｂから１００ｍｍ以下の空間領域で十分である。
【００７３】
さらに、本実施の形態における照明器具１によれば、内部構造が複雑化しないので外観をシンプルにすることができ、意匠性に優れた照明器具を実現できる。また、従来の間接照明と比べて効率良く照明光を取り出すことができ、間接光のような照明光でありながら、照度を高くすることができる。このため、病院又はホテル等のように天井高の空間であっても、間接照明のような空間演出を簡単に実現することができる。
【００７４】
また、本実施の形態における照明器具１において、導光パネル４００は、発光モジュール２００の光が入射する第１側面４１０と、第１側面４１０から入射した光が導光パネル４００から出射する第１主面４２０とを有する。そして、導光パネル４００は、第１主面４２０が拡散パネル５００に対面するように配置されている。
【００７５】
これにより、エッジライト型の導光パネル４００によって第１主面４２０を発光面として光を出射させることができるので、導光パネル４００の配光制御によって拡散パネル５００の発光面の所望の輝度分布を容易に実現することができる。
【００７６】
また、本実施の形態における照明器具１では、発光モジュール２００から出射した光を導光パネル４００の第１側面４１０（光入射面）に向けて反射させるミラー３００を用いている。
【００７７】
これにより、発光モジュール２００から出射した光を効率良く導光パネル４００の第１側面４１０に入射させることができる。
【００７８】
また、本実施の形態における照明器具１において、導光パネル４００は、環状に配置されている。
【００７９】
これにより、図６に示すような環状の照明光を容易に得ることができるので、間接照明のような空間演出を容易に行うことができる。
【００８０】
また、本実施の形態における照明器具１において、発光モジュール２００は、導光パネル４００の配置に沿って環状に配置されている。
【００８１】
これにより、環状の導光パネル４００に効率良く光を入射させることができるので、さらに環状の照明光を容易に得ることができる。したがって、間接照明のような空間演出を一層容易に行うことができる。
【００８２】
また、本実施の形態における照明器具１において、発光モジュール２００は、器具本体１００の周辺部に寄せて配置されている。
【００８３】
これにより、図５に示すように、拡散パネル５００の中央部の発光輝度が拡散パネル５００の周辺部の発光輝度よりも低くなるような輝度分布を拡散パネル５００のみで容易に実現することが可能である。
【００８４】
また、本実施の形態における照明器具１において、器具本体１００は、開口部１００ａを有し、拡散パネル５００の発光面は、開口部１００ａの開口面よりも発光モジュール２００側に後退した位置に配置されている。
【００８５】
このように、拡散パネル５００を開口部１００ａの開口面から後退させることで、開口部１００ａの内面を天井面２ｂから連続する天井２の立ち上がり部分として感じさせることができる。その結果、拡散パネル５００の存在を一層感じさせにくくできる。つまり、照明器具１の存在を一層気付かれにくくできる。
【００８６】
さらに、本実施の形態における照明器具１では、拡散パネル５００の発光面は、天井２の天井面２ｂよりも天井裏側に位置している。
【００８７】
このように、拡散パネル５００を天井面２ｂから奥側に後退させることで、開口部１００ａの内面が天井２の立ち上がり部分であるとの印象をさらに深めることができる。これにより、拡散パネル５００の存在をより一層感じさせにくくできる。
【００８８】
また、本実施の形態における照明器具１では、拡散パネル５００の光出射側に位置し、開口部１００ａの内周に沿って設けられた枠部１２０が設けられている。そして、枠部１２０の内面は、拡散パネル５００の側面よりも内側に位置している。
【００８９】
これにより、枠部１２０の内面によって拡散パネル５００の光出射領域を規定することができるので、拡散パネル５００の外周縁付近の発光輝度を容易に高く設定することができる。したがって、間接照明のような明かりの雰囲気を容易に実現することができる。
【００９０】
また、本実施の形態における照明器具１において、枠部１２０は、器具本体１００の一部である。
【００９１】
これにより、枠部１２０と器具本体１００とを別体にする場合と比べて、部品間の隙間を無くすことができるので、光漏れ等による光の違和感を無くすことができる。したがって、さらに間接照明のような明かりの雰囲気に近づけることができる。
【００９２】
また、本実施の形態における照明器具１において、拡散パネル５００は、平板状である。
【００９３】
これにより、拡散パネル５００の存在をより気付きにくくすることができる。また、平板状の拡散パネル５００を用いることで、拡散パネル５００の輝度分布（グラデーション分布）の設計がしやすくなるので、滑らかな輝度分布の疑似発光面を容易に得ることができる。したがって、間接照明のような明かりの雰囲気にさらに近づけることができる。
【００９４】
（変形例）
以上、本発明に係る照明器具について、実施の形態に基づいて説明したが、本発明は、上記実施の形態に限定されるものではない。
【００９５】
例えば、図７に示される照明器具１Ａのように、第２側面４４０の高さが第１側面４１０の高さよりも小さい先細りのテーパ形状の導光パネル４００Ａを用いてもよい。これにより、第２側面４４０から出射した光が輝線となって現れることを抑制できるので、拡散パネル５００における発光輝度の輝度分布をより滑らかにすることができる。
【００９６】
また、上記実施の形態では、ミラー３００を用いて発光モジュール２００の光を反射させて導光パネル４００に入射させたが、これに限らない。つまり、ミラー３００を用いずに、発光モジュール２００の光を導光パネル４００の第１側面４１０に直接入射させてもよい。この場合、例えば発光素子２２０の発光面が導光パネル４００の第１側面４１０に対面するように発光素子２２０を配置すればよい。
【００９７】
また、上記実施の形態において、照明器具１は、平面視形状の外形が円形である丸形の照明器具としたが、これに限らない。例えば、照明器具１は、平面視形状の外形が矩形であるスクエア形の照明器具であってもよい。また、照明器具１の平面視形状の外形は、円形又は矩形以外に、楕円形又は三角形等のその他の形状であってもよい。
【００９８】
また、上記実施の形態では、器具本体１００を天井２の開口孔２ａに直接取り付けたが、これに限らず、器具本体１００を収納する取付補助体を用いて器具本体１００を天井２に設置してもよいし、その他の部品を介して器具本体１００を天井２に設置してもよい。
【００９９】
また、上記実施の形態において、発光素子２２０は、青色ＬＥＤチップと黄色蛍光体とによって白色光を放出するＢ−Ｙタイプの白色ＬＥＤ光源としたが、これに限らない。例えば、赤色蛍光体と緑色蛍光体とを用いて、これと青色ＬＥＤチップと組み合わせることによって白色光を放出するように構成してもよい。また、演色性を高める目的で、黄色蛍光体に加えて、さらに赤色蛍光体や緑色蛍光体を混ぜても構わない。また、青色以外の色を発光するＬＥＤチップを用いてもよく、例えば、紫外光を放出するＬＥＤチップを用いて、この紫外光を励起されて蛍光発光するＲＧＢ各色蛍光体（青色蛍光体、緑色蛍光体、赤色蛍光体）によって白色光を放出するように構成してもよい。また、蛍光体を用いずに、赤色光を発する赤色ＬＥＤチップ、緑色光を発する緑色ＬＥＤチップ及び青色光を発する青色ＬＥＤチップによって白色光を放出するように構成してもよい。
【０１００】
また、上記実施の形態において、発光素子２２０は、白色ＬＥＤ光源のみとしたが、これに限るものではない。例えば、赤色光を発する赤色ＬＥＤ光源、緑色光を発する緑色ＬＥＤ光源及び青色光を発する青色ＬＥＤ光源を用いて、発光モジュール２００を構成してもよい。あるいは、赤色ＬＥＤ光源と緑色ＬＥＤ光源と青色ＬＥＤ光源と白色ＬＥＤ光源とを用いて発光モジュール２００を構成してもよい。このように光の三原色を発する光源を用いることで、ＲＧＢ制御による調色制御を行うことができる照明器具を実現できる。また、色温度の異なる複数の白色ＬＥＤ光源を用いて発光モジュール２００を構成してもよい。これにより、色温度を変えることができる照明器具を実現できる。
【０１０１】
また、上記実施の形態において、発光素子２２０は、ＬＥＤによって構成したが、これに限らない。例えば、発光素子２２０は、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子を用いて構成されていてもよい。
【０１０２】
なお、その他、各実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１０３】
１、１Ａ  照明器具
２  天井
２ａ  開口孔
２ｂ  天井面
１００  器具本体
１００ａ  開口部
１００ｂ  底部
１２０  枠部
２００  発光モジュール
３００  ミラー
４００、４００Ａ  導光パネル
４１０  第１側面
４２０  第１主面
４３０  第２主面
４４０  第２側面
５００  拡散パネル
【図１】
2018190515.tif 000003
【図２】
2018190515.tif 000004
【図３】
2018190515.tif 000005
【図４】
2018190515.tif 000006
【図５】
2018190515.tif 000007
【図６】
2018190515.tif 000008
【図７】
2018190515.tif 000009